(57)【要約】【課題】  構造が簡単で、通風機能を有するドアガードを提供する。【解決手段】  ドア枠１又はドア２の室内側に固定される第１基体３と、この第１基体３に備えられ、先端に膨出頭部４ａを有する受杆４と、ドア２又はドア枠１の室内側に固定される第２基体５と、この第２基体５に基端を揺動可能に枢着され、受杆の膨出頭部が挿通できる挿通部６ａ及び受杆４と摺動可能に嵌合する案内長孔６ｂを長さ方向に連設した連結杆６とを有するものにおいて、この連結杆の自由端部裏面側に少なくとも１個の第２係合部６ｄを突設し、一方、受杆４の基部近傍にドアガード作動時第２係合部６ｄと係合可能な第１係合部３ａを形成する。【選択図】  図４
2006104787.tif 000002
【特許請求の範囲】
【請求項１】
ドア枠又はドアの室内側に固定される第１基体と、この第１基体に備えられ、先端に膨出頭部を有する受杆と、ドア又はドア枠の室内側に固定される第２基体と、この第２基体に基端を揺動可能に枢着され、受杆の膨出頭部が挿通できる挿通部及び受杆と摺動可能に嵌合する案内長孔を長さ方向に連設した連結杆とを有するものにおいて、この連結杆の自由端部裏面側に少なくとも１個の第２係合部を突設し、一方、受杆の基部近傍にドアガード作動時第２係合部と係合可能な第１係合部を形成したことを特徴とする通風機能付ドアガード。
【発明の詳細な説明】
【技術分野】
【０００１】
この発明は、通風機能付ドアガード（以下単にドアガードという）に係り、特に、構造が簡単で確実に作動するドアガードに関する。
【背景技術】
【０００２】
従来のドアガードは、例えば後記特許文献１に記載されているように、また、図１に示すように、ドア枠１又はドア２の室内側に固定される第１基体３と、第１基体３に一体に突設され、先端に膨出頭部４ａを有する受杆４と、ドア２又はドア枠１の室内側に固定される第２基体５と、第２基体５に基端を枢着した揺動可能な連結杆６と、連結杆６の長さ方向に沿って設けられた、受杆４の膨出頭部４ａに対応させた挿通部６ａ及びそれに連続する案内長孔６ｂから成る。
【０００３】
そして、ドア２を閉じた状態で受杆４の膨出頭部４ａに挿通部６ａを潜らせ、その状態でドア２を開くと、図１に示すように、ドアの開角度が小さく制限され、安全に来訪者の確認や郵便物の受渡し等を行うことができる。同様なものは、後記特許文献２にも開示され周知のところである。
【特許文献１】特許第３４５１３０４号に係る特許公報
【特許文献２】実開昭５５−５１９５６号公報
【特許文献３】特許第３００３６９２号に係る特許公報
【発明の開示】
【発明が解決しようとする課題】
【０００４】
上記ドアガードは、所期の機能を発揮して従来実用されているが、図１から明らかなように、ドアに外力が作用しない常態においては、ドアクローザの付勢力によってドアが自動的に閉まってしまい、例えば換気のためドアを少し開けた状態に保つ機能はない。
【０００５】
この場合、ドアを開けた状態に保つには、例えばドアの隙間に物を挟む、等面倒な操作が必要である。
【０００６】
この不便を解消するため、例えば上記特許文献３に記載のドアガードは扉が開いた状態を保持する機構が組込まれている。
【０００７】
しかしながら、上記特許文献３に記載のドアガードは受杆４自体にストッパーの機能を割り当てているため、本来自由に摺動すべき受杆と連結杆に逆の目的を果たす機能を組込む必要が生じ、そのためドアガードとしての構造が複雑になる、等未だ改良の余地がある。
【０００８】
そこで、この発明は、ドアガード作動時扉を少し開けた状態に保つことができ、しかも構造が簡単な風機能付のドアガードを提供することを目的としている。
【課題を解決するための手段】
【０００９】
上記の目的を達成するため、請求項１に記載の発明は、ドア枠又はドアの室内側に固定される第１基体と、この第１基体に備えられ、先端に膨出頭部を有する受杆と、ドア又はドア枠の室内側に固定される第２基体と、この第２基体に基端を揺動可能に枢着され、受杆の膨出頭部が挿通できる挿通部及び受杆と摺動可能に嵌合する案内長孔を長さ方向に連設した連結杆とを有するものにおいて、この連結杆の自由端部裏面側に少なくとも１個の第２係合部を突設し、一方、受杆の基部近傍にドアガード作動時第２係合部と係合可能な第１係合部を形成したことを特徴とする。
【発明の効果】
【００１０】
上記のように構成された請求項１に記載の発明による通風機能付ドアガードは、作動時連結杆の自由端部を第１基体側に倒すと、その裏面側に突設された第２係合部が受杆の基部近傍に形成された第１係合部と係合可能になる。
【００１１】
この状態でドアから手を離すと、ドアクローザの付勢力により第２係合部が第１係合部に向かって移動し、これらが当接して相互に係合した状態では、ドアクローザの付勢力は第１及び第２係合部の係合を介して第１基体に担持され、ドアは少し開いた状態を安定に保つことになり、このようにして通風が可能となる。
【発明を実施するための最良の形態】
【００１２】
第１基体及び連結杆の自由端部裏面側にそれぞれ係合部を突設するだけで通風機能が得られるので、通風機能付のドアガードとして構造が簡単になる。
【実施例１】
【００１３】
以下、この発明の実施例を図面を参照して説明する。
図２及び図３において符号６は連結杆を示し、この連結杆６は、特に図２から明らかなように、例えば全体の形状が細長いＵ字形で、その基端（図２で右端）を第２基体５に揺動可能に枢着されていることは前記特許文献１に記載のものと同様である。
【００１４】
また、連結杆の案内長孔６ｂを挟む平行部の表面側、換言すればドアガード作動時受杆の膨出頭部４ａが突き抜ける側の内側が肉を盗まれてＵ字形の収納溝６ｃが形成され、受杆の膨出頭部４ａが収納可能になっているが、この収納溝６ｃはこの発明の必須の構成要件ではない。
【００１５】
更にまた、連結杆６の自由端部の裏面側には、細長い直角三角形を付加する態様で、一対の第２係合部６ｄ、６ｄが突設されている。図示の実施例では一対、合計２個の第２係合部が設けられているが、これは少なくとも１個あればよい。
【００１６】
一方、ドア枠１側には、第１基体３を介して、受杆４が形成されている。図示の実施例における受杆４は、前記特記文献１に記載された、第１基体３から出没できるタイプの受杆をその侭用いている。
【００１７】
そのため、第１基体３は受杆４を出没可能に支持、案内する角柱状のケース様であるが、本発明における受杆４は第１基体３から出没できる機能は必要ではなく、したがって第１基体３も図１に示す通常の座板でよい。
【００１８】
この第１基体３には、その縁部を室内側に延伸させる態様で第１係合部３ａが一体に形成されている。
【００１９】
図示の実施例における第１係合部３ａは、図２から明らかなように、ほぼ連結杆６の幅と同じ長さを有するが、第２係合部６ｄを連結杆の１ヵ所にだけ突設した場合には、その第２係合部の幅と同じ幅の小さなものでよい。
【００２０】
なお、図２及び図３において符号７は室内の気密を保持するためのパッキン条を示し、また、これらの図において図１と同符号を付した部分は相互に均等な部分を示す。
【００２１】
上記のように構成されたこの発明の一実施例によるドアガードは、図３に示すように、受杆の膨出頭部４ａに連結杆の挿通部６ａを潜らせるようにしてドアガードをセットし、この状態で扉を開くとドアガードが作動する。
【００２２】
このとき、連結杆の第２係合部６ｄが相対的に第１係合部３ａに近接し、前者が後者を越えた後連結杆６の自由端部を第１期体３に近接する方向に倒すと、図４に示すように、第２基体５に関し第１係合部３ａが第２係合部６ｄより遠くなる。
【００２３】
その結果、図４から明らかなように、扉から手を離すと、ドアクローザの付勢力により第２係合部６ｄが第１係合部３ａに近接してこれに当接し、以降ドアクローザの付勢力はこれらの係合を介して第１基体３に担持され、扉が少し開いた状態が安定に保持される。
【００２４】
図４に示す状態から連結杆６の先端を左方に少し動かすと、第１及び第２係合部の係合が解かれ、以後ドアクローザの付勢力によりドアが閉まり、図３に示す状態に戻る。
【実施例２】
【００２５】
図２乃至図４に示す実施例では、第１及び第２係合部３ａ、６ｄはそれぞれ連結杆及び第１係合部３の一部を突出させる態様で形成するものとしたが、これは所定の箇所に短円柱状のピンを植設しても良い（図示せず）。
【図面の簡単な説明】
【００２６】
【図１】従来のドアガードの一例を示す斜視図。
【図２】この発明の一実施例によるドアガードの連結杆の正面図。
【図３】この発明のドアガードの一実施例を示す一部断面側面図で、扉閉止時を示す。
【図４】この発明のドアガードの一実施例を示す一部断面側面図で、扉が少し開いた状態を示す。
【符号の説明】
【００２７】
１  ドア枠
２  ドア
３  第１基体
３ａ  第１係合部
４  受杆
４ａ  膨出頭部
５  第２基体
６  連結杆
６ａ  挿通部
６ｂ  案内長孔
６ｃ    収納溝
６ｄ  第２係合部
【図１】
2006104787.tif 000003
【図２】
2006104787.tif 000004
【図３】
2006104787.tif 000005
【図４】
2006104787.tif 000006